(57)【特許請求の範囲】
【請求項１】
コンバインの揺動選別装置１０の揺動本体５１によって、脱穀装置によって脱粒された籾等を選別し、選別後の二番物を還元コンベア６２によって揺動本体５１の前部に還元する構成において、前記揺動本体５１の前方に横処理胴９０を横架し、還元コンベア６２によって搬送した二番物を該横処理胴９０で処理して、揺動本体５１の前部に排出させ、
該コンバインの脱穀装置の扱胴側方に送塵口処理胴２１を配し、該送塵口処理胴２１の前部は前方に、後部は後方に処理物を搬送し、前記送塵口処理胴２１の前端部を前記横処理胴９０の端部上方まで延出し、扱胴２０から送塵口処理胴２１の前半部に投入された籾等を横処理胴９０に投入することを特徴とするコンバインの揺動選別装置。
【発明の詳細な説明】
【０００１】
【発明の属する技術分野】
本発明は、揺動選別装置によって選別された二番物を還元して、再処理する構成に関する。
【０００２】
【従来の技術】
従来から刈取部によって刈り取られた穀稈を、フィードチェーンによって受け継ぎ、穂先側を脱穀選別装置上部の扱室内に案内し、該扱室には扱胴が横架され、扱胴下方に揺動選別装置が配設されていた。該揺動選別装置は、選別本体、該選別本体の下方に配設する唐箕、一番コンベア、二番コンベア等からなり、前記選別本体は揺動自在に駆動され、選別本体前部に漏下された籾を受けるグレンパン、グレンパン後方に選別を行うチャフ部が配設されていた。
更に、選別本体の下方には、唐箕等より選別風を導入する口が開口され、揺動本体を揺動させながら、比重選別と風選別とを行い、一番物、二番物、藁屑とに選別していた。そして、前記フィードチェーンにより搬送される穀稈は、穂先側は略同位置を通過するため、籾等は偏って漏下していた。
また、還元コンベアをフィードチェーンの外側に配し、フィードチェーン側からグレンパンに投入する構成も公知となっているが、外観が悪く、脱穀選別装置内をメンテナンスするためには還元コンベアを外す必要があり、面倒な作業となっていた。
【０００３】
【発明が解決しようとする課題】
しかし、従来のグレンパンの前側には、還元コンベアによって二番物が再投入される構成となっており、前記グレンパン上には、後方に向かうに従って、グレンタンク側からフィードチェーン側に向かうように傾斜状のリード板が設けられていた。該リード板は、グレンパン上の片側に偏って漏下した籾等を後方に搬送するに従って揺動本体の反対側に送り、偏って漏下した籾等を全面に広がるようにしていたが、リード板を用いる構成においては、グレンパン上に偏って漏下された籾層を揺動本体の左右中央側に案内するには限界があり、さらに大量の籾が漏下される場合には、揺動本体によって完全に処理できることが期待できなかった。
【０００４】
【課題を解決するための手段】
本発明はこのような問題点を解消するために、次の如く構成したものである。
コンバインの揺動選別装置１０の揺動本体５１によって、脱穀装置によって脱粒された籾等を選別し、選別後の二番物を還元コンベア６２によって揺動本体５１の前部に還元する構成において、前記揺動本体５１の前方に横処理胴９０を横架し、還元コンベア６２によって搬送した二番物を該横処理胴９０で処理して、揺動本体５１の前部に排出させ、該コンバインの脱穀装置の扱胴側方に送塵口処理胴２１を配し、該送塵口処理胴２１の前部は前方に、後部は後方に処理物を搬送し、前記送塵口処理胴２１の前端部を前記横処理胴９０の端部上方まで延出し、扱胴２０から送塵口処理胴２１の前半部に投入された籾等を横処理胴９０に投入するものである。
【０００５】
【発明の実施の形態】
本発明が解決しようとする課題及び解決するための手段は以上の如くであり、次に添付の図面に示した実施例の構成を説明する。
図１はコンバイン全体側面図、図２は揺動選別装置を示す側面図、図３は本発明の横処理胴を横架した揺動選別装置の前部を示す側面図、図４は同じく平面図一部断面図、図５は横処理胴の別の配置構成を示す正面断面図、図６は横処理胴の別の配置構成を示した揺動選別装置の部分側面図、図７は送塵口処理胴から横処理胴へ籾を投入する揺動選別装置の側面図である。
【０００６】
図１においてコンバインの全体構成から説明する。
クローラ式走行装置１上に機体フレーム２を載置し、該機体フレーム２前端に引起し・刈取装置８を昇降可能に配設し、引起し・刈取装置８は前端に分草板３を突出して穀稈を分草し、その後部に引起しケース４を立設して該引起しケース４より突出したタインの回転により穀稈を引き起こして、分草板３後部に配設した刈刃５にて株元を刈り取り、上部搬送装置、下部搬送装置、縦搬送装置６にて後部へ搬送する。
この縦搬送装置６の上端から株元がフィードチェーン７に受け継がれて脱穀装置内に穀稈を搬送し、該フィードチェーン７後端には排藁搬送装置１６が配設され、排藁搬送装置１６後部下方に配設した排藁カッター装置１７にて、搬送されてきた排藁を切断して圃場に放出している。前記脱穀装置の側部には選別後の精粒を貯留するグレンタンク１２が配設され、該グレンタンク１２前部には運転部１９が配設されている。
【０００７】
前記脱穀装置９は図２に示すように、扱室内に扱胴２０と送塵口処理胴２１とが軸芯を前後方向にして横架され、この扱室の下方に揺動選別装置１０が形成されている。前記扱室の扱胴２０は、従来より長く形成され、扱胴２０周囲に扱歯２７・２７・・・が植設されている。前記扱胴２０下部周囲にはクリンプ網３１を設けて籾や小さな藁くず等のみが漏下し、選別室内で選別されるようにしている。
前記送塵口処理胴２１は、グレンタンク１２側に扱胴２０と平行に横架されており、送塵口処理胴２１の前端を扱胴２０の前後方向の略中央位置の側方に配し、送塵口処理胴２１の後部を扱胴２０の後端部よりさらに後方に延出し、脱穀装置９の後端部まで位置させている。前記送塵口処理胴２１後部の側方には吸引ファン３０が横設されている。
【０００８】
よって、前後方向に長く形成した扱胴２０によって、穀稈が通過する時間を長くすることができ、扱胴２０による脱粒性能が向上されている。
さらに、側面視において前記送塵口処理胴２１前部から中途部と扱胴２０の中途部から後部の長い範囲をラップさせており、扱胴２０前部で処理できなかった枝梗付着粒等を送塵口処理胴２１前部に投入し、扱胴２０とクリンプ網３１との間に枝梗付着粒が堆積することのないようにしており、扱胴２０による脱粒性能を向上し、脱粒された後の排藁内に籾が混じることがないようにしている。
そして、前記送塵口処理胴２１内では、枝梗付着粒等が後方に搬送されながら処理され、藁屑等は後方に搬送され、前記吸引ファン３０によって吸引され、機外へ排出されている。また、穀稈の穂先側は扱胴２０のグレンタンク２０側（進行方向に向かって右側）を通過するようにしている。
【０００９】
また、前記脱穀装置下部の選別室には、二段式揺動本体５１と唐箕３５とプレファン４１等が配設され、脱穀された籾と籾藁とが比重選別と風選別により一番物と二番物と藁くず等に選別が行なわれている。
また、二段式揺動本体５１下方の前後途中位置には、左右方向に一番コンベア２２と二番コンベア２３とが横設されている。前記一番コンベア２２の他側に揚穀コンベア１３が連結されており、一番コンベア２２の流穀板２８上に漏下された一番物は、一番コンベア２２、揚穀コンベア１３を介してグレンタンク１２に搬送されている。
また、前記二番コンベア２３の他端部に還元コンベア６２が連結されており、該還元コンベア６２の他端の排出口は後述する横処理胴９０の右側に配置している。二番コンベア２３の流穀板２９上に漏下された二番物は、二番コンベア２３、還元コンベア６２を介して還元され、再度処理を行うようにしている。
【００１０】
また、前記揺動本体５１は、上方に形成するプレ揺動体７０と、下方に形成する主揺動体８０と上下に二段形成されている。前記プレ揺動体７０の前端部を扱胴２０の前端下方に配置し、プレ揺動体７０の後端は送塵口処理胴２１の後部下方まで延出されている。該主揺動体８０の前端部は、プレ揺動体７０前端部より後下方に配置され、主揺動体８０の後端部は送塵口処理胴２１の後部下方に配置している。
前記主揺動体８０後部下面が、クランク軸等の揺動駆動機構６９によって揺動駆動可能に連結され、主揺動体８０前部下面に配したローラ６８によって揺動可能に枢支されている。前記プレ揺動体７０も、前部側面に配したローラ７５によって枢支され、プレ揺動体７０後部がクランク軸等の揺動駆動機構７６によって揺動可能に枢支されている。そして、該主揺動体８０とプレ揺動体７０は相反する方向に揺動駆動され、互いに打ち消し合うようにして振動を低減するようにしている。
【００１１】
前記プレ揺動体７０の前端部には、グレンパン７１が形成されている。該グレンパン７１は、板体を波状にして籾を後方に搬送し易く成形している。該グレンパン７１後部が扱胴２０の前後方向の略中央位置まで延出されている。前記グレンパン７１後部より後方の下面は開放され、グレンパン７１後部の後方には、グレンパン７１に連設するようにチャフ部７２が形成されている。該チャフ部７２の後部は、扱胴２０の後端部の下方まで横設されている。前記チャフ部７２後方には、前後方向に長い棒状体の上面を波上に形成したストローラック７４・７４・・・が配されている。該ストローラック７４・７４・・・の後端をプレ揺動体７０後端まで延出している。
【００１２】
前記主揺動体８０の前部にはガイドパン８１が形成されている。該ガイドパン８１の後部をプレ揺動体７０のグレンパン７１後部下方まで延出させている。前記ガイドパン８１の後下部を一段下げて第二グレンパン８２が形成されている。前記ガイドパン８１と第二グレンパン８２は、板体を波状にして籾を後方に搬送し易く成形している。
前記第二グレンパン８２前部には、選別風導入口８３が開口され、第二グレンパン８２後部をプレ揺動体７０のチャフ部７２の前後途中位置の下方まで延出させている。前記第二グレンパン８２の後部より後下方に膨出して膨出部８４を成形し、該膨出部８４下面には落下口８５が開口されている。
また、前記第二グレンパン８２の後方には、第二グレンパン８２に連設するようにチャフ部８６が形成されている。該チャフ部８６の後部には、固定チャフ部８８が形成されている。前記チャフ部８６下部位置には、前記落下口８５の前部より後方途中位置まで網状のグレンシーブ８９によって被装され、一番コンベア２２の上方が被装されている。
【００１３】
前記主揺動体８０の前部には、後述する本発明の横処理胴９０が横設され、前記還元コンベア６２より還元された二番物等をシューター９５を介して横処理胴９０内に搬送し、横処理胴９０内を進行方向に向かって左側に搬送し、ガイドパン８１前部に二番物等を投入するようにしている。また、前記主揺動体８０の後部には、第二吸引ファン９１が横設されている。該第二吸引ファン９１は、揺動本体５１の全幅に渡って形成され、吸引力が向上されている。
【００１４】
また、前記主揺動体８０の前下方にプレファン４１が配され、主揺動体８０の前後方向途中位置の下方に唐箕３５が配置され、前記選別風導入口８３から導入されるプレファン４１からの風がガイドパン８１下面と第二グレンパン８２上面との間を通り、ガイドパン８１から第二グレンパン８２に落下される藁屑を後方に吹き飛ばしている。
さらにガイドパン８１下面を通過した風の一部がプレ揺動体７０のチャフ部７２から選別風として吹き上げられている。プレ揺動体７０の揺動と選別風とで、籾等がチャフ部７２で比重選別され、比較的大きな藁屑や二番物の一部を後方に搬送され、ストローラック７４・７４・・・上で藁屑がほぐされ、大きな藁屑が吸引ファン３０に吸引され、機外へ排出されている。
【００１５】
そして、前記チャフ部７２の比重選別によって、一番物と二番物とが混じり合って、主揺動体８０の第二グレンパン８２とチャフ部８６の前部に漏下されている。前記ストローラック７４・７４・・・より下方に二番物や比較的小さい藁屑等が落下され主揺動体８０のチャフ部８６後部と固定チャフ部８８上に落下されている。
【００１６】
また、前記主揺動体８０のガイドパン８１下面を通過し、上方に吹き上げられなかった残りの風が主揺動体８０のチャフ部８６上に搬送され、チャフ部８６上の籾等を風で選別するようにしている。
更に、前記唐箕３５からの風の一部が、第二グレンパン８２下方からチャフ部８６側に導入され、唐箕３５からの風の大部分が、落下口８５を通過してチャフ部５５から選別風として吹き上げられ、主揺動体８０の揺動と選別風とでチャフ部８６による比重選別が行われる。前記チャフ部８６前部より一番コンベア２２の流穀板２８上に一番物が漏下され、チャフ部８６後部と固定チャフ部８８より二番物と、選別しきれなかった一番物とが二番コンベア２３の流穀板２９上に漏下されている。小さい藁屑が第二吸引ファン９１によって吸引され、機外に排出されている。
【００１７】
次に、本発明の前記横処理胴９０について説明する。
該横処理胴９０は、前記還元コンベア６２より還元された二番物等を進行方向に向かって左側（フィードチェーン７側）に処理しながら搬送し、ガイドパン８１前部に処理後の二番物等を投入するものである。
即ち、図３、図４に示すように、前記還元コンベア６２前部は、扱胴２０外周面を被装するクリンプ網３１の前部右側方（グレンタンク１２側）まで延出されている。該還元コンベア６２の前端部にはシューター９５が連通されている。該シューター９５は、筒体であり、該シューター９５上部が還元コンベア６２前部の排出口に接続されている。
前記シューター９５の下部を前下方に突出し、該シューター９５下端を、図３の側面視でプレ揺動体７０前部下方で、主揺動体８０の前端部の直前位置まで延出させている。前記シューター９５下端には、横処理胴９０の一端が連通され、該横処理胴９０の他端は、主揺動体８０の側方端部まで延出されている。
【００１８】
前記横処理胴９０は、円筒状のカバー９６によって被装され、該カバー９６内にスクリュー９７が配設されている。該スクリュー９７の始端部（グレンタンク１２側の端部）がシューター９５下部内に挿入され、スクリュー９７の終端部（フィードチェーン７側の端部）がプレ揺動体７０の左側部の前方に配設されている。
前記スクリュー９７の終端部には、送り羽９８・９８・・・が固設されている。該送り羽９８・９８・・・は、図３に示すように、スクリュー９７の軸方向に対して放射状に突出され、送り羽９８・９８・・・の外周端部がカバー９６の内周面近傍位置まで延出させている。さらに、前記カバー９６の終端側は、図３の側面視のように後上方が開放された投入口９９が開口され、主揺動体８０の前端部の前上方に向けられている。
【００１９】
従って、前記還元コンベア６２によって前方に搬送された二番物は、シューター９５内に投入され、シューター９５下部より横処理胴９０内に受け継がれ、スクリュー９７の駆動によって二番物が処理されながらフィードチェーン７側に搬送される。そして、前記横処理胴９０内の終端部から、前記送り羽９８・９８・・・によってカバー９６の内周面を円周方向に搬送され、投入口９９より主揺動体８０前部に送られる。
【００２０】
前記横処理胴９０によって処理された籾や藁屑等は、ガイドパン８１上のフィードチェーン７側に落下されるので、扱胴２０によって脱粒された籾と合わせて左右全幅に渡って籾が搬送され、第二グレンパン８２からチャフ部８６上の全幅に籾等を搬送することができ、全幅で選別できて、選別性能が向上される。
【００２１】
なお、前記還元コンベア６２によって搬送されている二番物をシューター９５を介して横処理胴９０内に投入する構成としているが、還元コンベア６２前端部を横処理胴９０端部に連結させるように、還元コンベア６２の傾斜角度を緩やかに配し、シューター９５を無くした構成にすることもできる。
【００２２】
次に、前記横処理胴９０’の別形態の配置構成について説明する。
図５、図６に示すように、横処理胴９０’を前記ガイドパン８１とグレンパン７１下面との間に左右方向に横架し、該横処理胴９０’の右端部をシューター９５下部に連結している。但し、グレンパン７１上に横処理胴９０’を横架することもできる。
【００２３】
そして、前記横処理胴９０’内のコンベアを被装するカバーの下面の一部を網状のクリンプ網１００・１０１で被装している。該クリンプ網１００・１０１の網目は、図５に示すように、横処理胴９０’の始端側のクリンプ網１００より終端側のクリンプ網１０１の網目の方を大きくしている。
【００２４】
よって、前記還元コンベア６２内と横処理胴９０’内で二番物が処理され、始端側のクリンプ網１００より、藁屑が取り除かれた穀粒が漏下され、主揺動体８０のガイドパン８１上のグレンタンク１２側に落下される。残りの二番物や藁屑等がクリンプ網１０１より、ガイドパン８１上のフィードチェーン７側に漏下されている。前記横処理胴９０’によって選別された後にガイドパン８１上に漏下され、チャフ部８６による選別処理をし易くしている。尚、前記クリンプ網１００・１０１は二個に限定するものでなく、網目の異なる数種類のクリンプ網を用いることもできる。
【００２５】
次に、前記横処理胴９０を用いた第三実施例について説明する。
図７に示すように、前記送塵口処理胴２１’をスクリュー型とし、線１０３の前後で搬送方向（巻き方向）を変え、前部は前方へ送り、後部は後方へ送るようにしている。そして、送塵口処理胴２１’の前端部をシューター９５上端部の上方に位置させ、該シューター９５上端部を開放して、未処理物を投入できるようにしている。
【００２６】
なお、前記送塵口処理胴２１’は、スクリュー型に限定するものでなく、送り角度を有する整そ歯等の扱歯を用いることもできる。さらに、送塵口処理胴２１’を線１０３で前後に分割し、送塵口処理胴２１’前半部と送塵口処理胴２１’後半部とを逆回転させる構成にすることもできる。
【００２７】
従って、前記扱胴２０によって脱粒され、扱胴２０によって処理しきれなかった子枝梗付着粒等が、扱胴２０後部側方より送塵口処理胴２１’中央部に投入され、スパイラ１０５を配した送塵口処理胴２１’後半部によって後方に搬送される。子枝梗付着粒等が後方に搬送されるにつれて穀粒と藁屑とに処理されている。
また、スパイラ１０４を配した送塵口処理胴２１’前半部に投入された穀粒や子枝梗付着粒等が前方に送られ、前方に送られる間に処理され、穀粒等を揺動本体７０上に落下させている。送塵口処理胴２１’前端部より処理しきれなかった子枝梗付着粒等はシューター９５内に投入され、還元コンベア６２から搬送されてきた二番物とともに横処理胴９０内に受け継がれ、更に処理してガイドパン８１上に投入されている。
【００２８】
よって、送塵口処理胴２１’内に投入された子枝梗付着粒等は、一番物の多い籾等は前方へ送られ、二番物の多い籾や藁屑等は後方へ送られ、それぞれ処理されて、二番コンベア２３、還元コンベア６２に循環される二番物の量が減少され、揺動選別装置１０内の籾等の循環がスムーズとなり、選別する処理能力が向上されている。
【００２９】
【発明の効果】
以上のように構成したので、本発明は次のような効果を奏するものである。
即ち、請求項１記載のように、コンバインの揺動選別装置１０の揺動本体によって、脱穀装置によって脱粒された籾等を選別し、選別後の二番物を還元コンベア６２によって揺動本体前部に還元する構成において、前記揺動本体の前方に横処理胴９０を横架し、還元コンベア６２によって搬送した二番物を該横処理胴９０で処理して、前記揺動本体前部に排出するので、還元コンベアによって前方に還元される二番物が、還元コンベアの全長に加えて横処理胴内に送りこまれて、二番物を穀粒と藁屑とに処理することができる。
この処理した後の穀粒と藁屑とを、揺動本体５１に送ることによって、揺動本体５１による選別性能が向上される。
そして、コンバインの作業速度をさらに高速にして、大量の穀稈が脱穀部に搬送されても、この揺動選別装置によって効率良く選別することができ、作業能率の大幅な向上が計られている。
【００３０】
また、該コンバインの脱穀装置の扱胴側方に送塵口処理胴２１を配し、該送塵口処理胴２１の前部は前方に、後部は後方に処理物を搬送し、前記送塵口処理胴２１の前端部を前記横処理胴９０の端部上方まで延出し、扱胴２０から送塵口処理胴２１の前半部に投入された籾等を横処理胴９０に投入することによって、送塵口処理胴前半部に投入された一番物の多い籾等は前方に搬送されながら選別され、二番物の多い籾や藁屑等は後方へ送られて選別され、選別効率が向上し、よって、還元コンベア等内を循環される二番物の量が減少され、揺動選別装置内の籾等の循環がスムーズとなり、選別する処理能力が向上される。
【図面の簡単な説明】
【図１】  コンバイン全体側面図である。
【図２】  揺動選別装置を示す側面図である。
【図３】  本発明の横処理胴を横架した揺動選別装置の前部を示す側面図である。
【図４】  同じく平面図一部断面図である。
【図５】  横処理胴の別の配置構成を示す正面断面図である。
【図６】  横処理胴の別の配置構成を示した揺動選別装置の部分側面図である。
【図７】  送塵口処理胴から横処理胴へ籾を投入する揺動選別装置の側面図である。
【符号の説明】
９  脱穀装置
１０  揺動選別装置
１２  グレンタンク
２０  扱胴
２１  送塵口処理胴
６２  還元コンベア
９０  横処理胴
７０  プレ揺動本体
８０  主揺動本体
１００・１０１  クリンプ網
【図１】
0003670118.tif 000002
【図２】
0003670118.tif 000003
【図３】
0003670118.tif 000004
【図４】
0003670118.tif 000005
【図５】
0003670118.tif 000006
【図６】
0003670118.tif 000007
【図７】
0003670118.tif 000008